(57)【要約】本発明は電子キーを利用したスポーツセンターの管理システム及び管理方法に関するもので、特に電子キーを使用してスポーツセンターの内部施設を利用し、スポーツセンターを退場するときに利用料金を精算するスポーツセンターの管理システム及びその管理方法を提供する。本発明の電子キーを利用したスポーツセンターの管理システムは利用者の情報が入力される複数の端末機と、前記端末機に連結されて入力された信号から利用料金を計算し、履物保管箱の開閉を制御するサーバーと、前記端末機に接続されることによって利用料金を決裁する電子キーを含む。【選択図】図１
2007528519.tif 000002
【特許請求の範囲】
【請求項１】
識別可能な番号票を発行する段階と、
前記番号票に対応する履物保管箱を指定して、指定された履物保管箱が使用された時に前記履物保管箱を閉鎖する段階と、
中央制御システムに連結され、スポーツセンター内に設置されたサービスプロバイダーからサービスが提供されたときに、前記番号票及び利用料金に関するデータを前記中央制御システムに送信し、そのデータを前記中央制御システムに保管する段階と、
前記中央制御システムに保管された利用料金が精算された時に、前記履物保管箱を開放する段階とを含むことを特徴とするスポーツセンターの管理方法。
【請求項２】
識別可能な番号票を発行する段階と、
前記番号票に対応する履物保管箱を指定して、指定された履物保管箱が使用された時に前記履物保管箱を閉鎖する段階と、
中央制御システムに連結され、スポーツセンター内に設置されたサービスプロバイダーからサービスが提供されたときに、前記番号票及び利用料金に関するデータを前記中央制御システムに送信し、そのデータを前記中央制御システムに保管する段階と、
番号票が前記履物保管箱に接続された時に前記中央制御システムに利用料金を検索させる段階と、
利用料金が発生していないか、または前記中央制御システムに保管された利用料金が精算された時に、前記履物保管箱を開放する段階と、
利用料金が支払われていないことを前記中央制御システムが認識した場合には、前記履物保管箱を閉じた状態に維持する段階とを含むことを特徴とするスポーツセンターの管理方法。
【請求項３】
識別可能な番号票を発行する段階と、
前記番号票に対応する履物保管箱を指定して、指定された履物保管箱が使用された時に前記履物保管箱を閉鎖する段階と、
中央制御システムに連結され、スポーツセンター内に設置されたサービスプロバイダーからサービスが提供されたときに、前記番号票及び利用料金に関するデータを前記中央制御システムに送信し、そのデータを前記中央制御システムに保管する段階と、
番号票がゲートに接続された時に前記中央制御システムに利用料金を検索させる段階と、
利用料金が発生していないか、または前記中央制御システムに保管された利用料金が精算された時に、前記履物保管箱を開放する段階と、
利用料金が支払われていないことを前記中央制御システムが認識した場合には、前記履物保管箱を閉じた状態に維持する段階とを含むことを特徴とするスポーツセンターの管理方法。
【請求項４】
前記履物保管箱に使用される電子キーは更衣室にも使用できることを特徴とする請求項３記載のスポーツセンターの管理方法。
【請求項５】
利用者の情報が入力される複数の端末機と、
前記端末機に連結されて入力された信号によって利用料金を計算し、履物保管箱の開閉を制御するサーバーと、
前記端末機に接続されることによって利用料金の支払いを利用者に促す電子キーとを含むことを特徴とするスポーツセンターの管理システム。
【請求項６】
前記電子キーには紛失を防止するセンサーが装着されており、スポーツセンターの出入口には前記センサーを感知する感知装置が設置されることを特徴とする請求項５記載のスポーツセンターの管理システム。
【発明の詳細な説明】
【技術分野】
【０００１】
本発明はスポーツセンターの管理システム及びその管理方法に関するもので、特に電子キーを使用してスポーツセンターの内部の施設を利用し退場する時にすべての料金を精算する管理システム及び管理方法に関するものである。
【背景技術】
【０００２】
従来、公衆浴場には理容室やサウナ等の便宜施設が設置されており、利用者がこれらの便宜施設を利用する時には現金を使用する。最近では、公衆浴場はほかの施設と統合されてスポーツセンターに様変わりしつつある。即ち、お風呂場の施設だけてなく、水泳場、ヘルスクラブ、ゴルフ練習場などの各種の運動施設が統合され、それに伴ってスナックコーナー、食堂などが付け加えられている。
【０００３】
便宜施設が設置されていない公衆浴場では、単に入場料を支払えばよく、複雑な計算を必要としない。しかしながら、各種の便宜施設が設置されている場合には、入場料を支払って入場しても内部で便宜施設を利用する時にその都度使用料を支払わなければならなく、不便である。この問題を解決するため、退場の時に使用料をまとめて支払う方法が開発されているが、利用者が不便を感じるのは同じである。
【発明の開示】
【発明が解決しようとする課題】
【０００４】
本発明は前記従来技術の問題点を解決するために案出されたものであり、電子キーを使用してスポーツセンターの内部施設を利用し、スポーツセンターを退場するときに利用料金を精算するスポーツセンターの管理システム及びその管理方法を提供するのが目的である。
【課題を解決するための手段】
【０００５】
本発明の一態様は、識別可能な番号票を発行する段階と、前記番号票に対応する履物保管箱を指定して、指定された履物保管箱が使用された時に前記履物保管箱を閉鎖する段階と、中央制御システムに連結され、スポーツセンター内に設置されたサービスプロバイダーからサービスが提供されたときに、前記番号票及び利用料金に関するデータを前記中央制御システムに送信し、そのデータを前記中央制御システムに保管する段階と、前記中央制御システムに保管された利用料金が精算された時に、前記履物保管箱を開放する段階とを含むことを特徴とするスポーツセンターの管理方法である。
【０００６】
本発明の他の態様は、識別可能な番号票を発行する段階と、前記番号票に対応する履物保管箱を指定して、指定された履物保管箱が使用された時に前記履物保管箱を閉鎖する段階と、中央制御システムに連結され、スポーツセンター内に設置されたサービスプロバイダーからサービスが提供されたときに、前記番号票及び利用料金に関するデータを前記中央制御システムに送信し、そのデータを前記中央制御システムに保管する段階と、番号票が前記履物保管箱に接続された時に前記中央制御システムに利用料金を検索させる段階と、利用料金が発生していないか、または前記中央制御システムに保管された利用料金が精算された時に、前記履物保管箱を開放する段階と、利用料金が支払われていないことを前記中央制御システムが認識した場合には、前記履物保管箱を閉じた状態に維持する段階とを含むことを特徴とするスポーツセンターの管理方法である。
【０００７】
本発明の他の態様は、識別可能な番号票を発行する段階と、前記番号票に対応する履物保管箱を指定して、指定された履物保管箱が使用された時に前記履物保管箱を閉鎖する段階と、中央制御システムに連結され、スポーツセンター内に設置されたサービスプロバイダーからサービスが提供されたときに、前記番号票及び利用料金に関するデータを前記中央制御システムに送信し、そのデータを前記中央制御システムに保管する段階と、番号票がゲートに接続された時に前記中央制御システムに利用料金を検索させる段階と、利用料金が発生していないか、または前記中央制御システムに保管された利用料金が精算された時に、前記履物保管箱を開放する段階と、利用料金が支払われていないことを前記中央制御システムが認識した場合には、前記履物保管箱を閉じた状態に維持する段階とを含むことを特徴とするスポーツセンターの管理方法である。
【０００８】
本発明の他の態様は、利用者の情報が入力される複数の端末機と、前記端末機に連結されて入力された信号によって利用料金を計算し、履物保管箱の開閉を制御するサーバーと、前記端末機に接続されることによって利用料金の支払いを利用者に促す電子キーとを含むことを特徴とするスポーツセンターの管理システムである。
【０００９】
ここで、サービスプロバイダーとは、自動販売機などの各種のセルフサービスシステムのほかに、水泳場、ヘルスクラブ、ゴルフ練習場などの運動施設や、スナックコーナーや食堂などの便宜施設を含む。
電子キーには紛失を防止するセンサーが装着されており、スポーツセンターの出入口には前記センサーを感知する感知装置が設置される。
【発明の効果】
【００１０】
本発明によるスポーツセンターの管理システム及びその管理方法によれば、一つの電子キーを使用して全てのサービス施設の利用が可能なので人員を大幅に削減することができ、利用者が現金または他の決裁手段を利用しなければならない不具合を解消することができる。
【発明を実施するための最良の形態】
【００１１】
以下、本発明の実施形態について添付図面を参照しながら説明する。
スポーツセンターを利用する利用者はカウンター正面の出入口１を通じてスポーツセンターの内部に出入できるようになっている。
【００１２】
カウンターの両側には男性用と女性用とに分けられた履物保管箱３が設置されている。履物保管箱３とカウンターの間に位置するゲートの奥には更衣室があり、更衣室の隣にはシャワーとサウナが備えられたお風呂が設置されている。更衣室の後方にはスナックコーナー８、食堂１１のような便宜施設と、ゴルフ練習場９、ヘルスクラブ１０、水泳場１２のようなスポーツ施設が設置されている。また、所々に自動販売機が設置されている。
【００１３】
本発明は電子キーを使用して前記施設の全ての利用料金を精算する点に特徴がある。
図２は、本発明のスポーツセンターの管理システムの構成図である。図２に示すように、管理事務室には全ての端末機に連結されたサーバー１３が設置されてあり、各々の便宜施設には端末機８〜１２が具備されている。カウンター端末機２は、利用者の電子キーによって承認された料金と更衣室及び履物保管箱３のドアの開閉に関する情報をサーバー１３に転送し、サーバー１３はその情報を保管する。履物保管箱３の作動の情報もサーバー１３に保管される。そして、便宜施設と運動施設には端末機８，９がそれぞれ設置され、利用者がその施設を利用する場合その情報がサーバー１３に送られる。
【００１４】
ここで、利用者がスポーツセンターに入場してから退場するまでの流れについて図３を参照して説明する。
利用者が出入口１を通じてスポーツセンターに入場する。利用者はカウンターで入場料を支払い、番号票を受け取る（Ｓ１，Ｓ２）。利用者は受け取った番号票に対応する履物保管箱３に履物を保管した後、その履物保管箱３のドアをロックし、更衣室に移動する（Ｓ３，Ｓ４）。この時、サーバーは、使用が承認された履物保管箱だけが開閉されるように該当履物保管箱のロック装置を制御し、また、使用が承認された履物保管箱のロック装置のみから電子キーを引き抜くことができるようにロック装置を制御する。
【００１５】
履物保管箱の使用の承認は次のようにして行われる。即ち、サーバーに接続された番号票印刷装置が番号票を印刷しながら、該当番号に対応する履物保管箱が開けられるようにサーバーがロック装置を制御する。あるいは、予め用意された番号票を利用者に提供し、番号票に対応する履物保管箱の使用がサーバーに直接入力されるようにしてもよい。履物保管箱の使用が承認されると、履物保管箱の開閉ができ、履物保管箱のロック装置の電子キーをロック装置から引き抜くことができる。従って、他の番号票の履物保管箱の電子キーをロック装置から引き抜くことはできない。なお、入場料を内部施設の利用料金とまとめて後で精算することもできる。
【００１６】
入場料を支払って番号票が発行されると（Ｓ１）、サーバーはその発行された番号票に対応する履物保管箱の使用を承認し、履物保管箱のロック装置が開けられる状態となる（Ｓ２）。利用者は電子キーをロック装置に挿入し、履物保管箱を開けて履物を履物保管箱に入れる。そして、履物保管箱のドアを閉めるとサーバーは履物保管箱のロック装置を閉鎖する（Ｓ４）。この時、履物保管箱のロック装置の電子キーはロック装置から引き抜くことができる状態にある。
【００１７】
利用者は履物保管箱のロック装置から電子キーを外して更衣室に移動し、更衣室で着替えてサウナが具備されたお風呂場に移動する。この時は、追加の利用料金が不要であるので、お風呂場に端末機を設置する必要はない。利用者が入浴後に床屋を利用する場合は、そこに設置された端末機を通じて電子キーを用いて利用の承認を受けることができる。利用者が利用の承認を受けると、利用料金がサーバーに送られ、サーバーは電子キーの番号と金額をサーバーのメモリ装置に保管する。
【００１８】
利用者は更衣室で水着に着替えて水泳場に入ることもできる。この場合は、新しい施設を利用するのであるから、利用者は電子キーを使って利用の承認を要求する。即ち、水泳場の入口に設置された端末機に電子キーを接続すると、その情報がサーバーに伝達され、水泳場の利用料金が利用者に賦課される。
【００１９】
他の運動施設であるゴルフ練習場、ヘルスクラブ、スナックコーナー、食堂なども、水泳場と同じように電子キーを端末機８〜１１に接続することにより利用することができる。また、図示はしないが映画施設、ゲームルーム、カラオケ等が設置されている場合にも同じ方法で利用の承認を行う。
【００２０】
図４は利用の承認の手順を示す図である。図４に示すように、利用者が端末機８〜１２のボタンを押した後（Ｓ２０）、一定の時間キー接続が無かったら、利用者は再度ボタンを押す（Ｓ２１，Ｓ２２）。一定の時間以内にキー接続があれば、サーバーは使用可能なキーであるか否かを認識する（Ｓ２３）。もし、使用できないキーであれば、サーバーは利用者にサービスの利用ができないことを通知する（Ｓ２４）。使用可能なキーであれば、サーバーはサービスを提供する（Ｓ２５）。この時、電子キーの番号と利用料金がサーバーのメモリ装置に転送されて保管される（Ｓ２６）。前記各種の施設を利用した後、利用者がスポーツセンターを退場する場合には、サーバーのメモリ装置に保管された料金を精算した時にのみ電子キーで履物保管箱のドアを開けることができる。
【００２１】
即ち、履物保管箱が閉鎖された状態で利用者が電子キーをロック装置に挿入すると、サーバーはその利用者が利用料金を支払ったか否かを検索する。利用料金が精算されてない場合には（Ｓ２６）、履物保管箱３を閉鎖の状態に維持し、利用者に利用料金を精算することを促す。その後、利用料金の支払いが完了すると、サーバーは履物保管箱を電子キーで開けることができるようにする。利用者が履物保管箱から履物を取り出すと、履物保管箱が閉鎖される（Ｓ１０，Ｓ１１）。
【００２２】
電子キーは紛失を防止するセンサー（図示せず）を具備しており、電子キーのセンサーを感知する感知装置１ａが出入口１に設置されている。利用者がスポーツセンターを退場するときは必ず出入口１を通過しなければならないので、電子キーの紛失を防止することができる。電子キーの他にもバスローブ、タオル等に感知センサーを付けて紛失を防止することができる。
本発明は前記実施形態の他に本発明の技術要旨の範囲の内で多様に変形できる。
【図面の簡単な説明】
【００２３】
【図１】本発明による電子キーを利用したスポーツセンターの管理システムが適用されるスポーツセンターの平面図である。
【図２】本発明による電子キーを利用したスポーツセンターの管理システムの構成図である。
【図３】本発明による電子キーを利用したスポーツセンターの管理方法のフローチャートである。
【図４】本発明による電子キーを利用したスポーツセンターの管理方法において、電子キーを使用するフローチャートである。
【図１】
2007528519.tif 000003
【図２】
2007528519.tif 000004
【図３】
2007528519.tif 000005
【図４】
2007528519.tif 000006
【国際調査報告】
2007528519.tif 000007